(57)【要約】【課題】  バーコードや２次元コードなどから成り、かつ管理情報を含む情報コードを備える腕時計であって、長期にわたって使用しても情報コードが消えることがなく、装着感にも優れ、かつ美観を損ねない腕時計を安価に提供することである。【解決手段】  本発明の情報コードを備える腕時計は、レーザー照射によるマーキングやインクジェットによる印刷によって情報コードが形成されたシール部品が、腕時計の外装部品の外表面に貼着された腕時計である。あるいは、本発明の情報コードを備える腕時計は、情報コードが形成された可撓性シール部品が、腕時計の外装部品の外表面に貼着された腕時計である。ケース、バンド、あるいは中留の中から選ばれる、少なくとも１つの外装部品における裏側の外表面に、シール部品が貼着される。【選択図】      図３
2005274248.tif 000002
【特許請求の範囲】
【請求項１】
情報コードを備える腕時計であって、
レーザーによって情報コードが形成されたシール部品が、腕時計の外装部品の外表面に貼着された、
情報コードを備える腕時計。
【請求項２】
情報コードを備える腕時計であって、
情報コードが形成された可撓性シール部品が、腕時計の外装部品の外表面に貼着された、情報コードを備える腕時計。
【請求項３】
請求項１、あるいは２に記載の情報コードを備える腕時計であって、
シール部品が真偽判定シールである、
情報コードを備える腕時計。
【請求項４】
請求項１、あるいは２に記載の情報コードを備える腕時計であって、
シール部品が傷防止シールである、
情報コードを備える腕時計。
【請求項５】
請求項１から４のいずれかに記載の情報コードを備える腕時計であって、ケース、バンド、中留の中から選ばれる、少なくとも１つの外装部品における裏側の外表面に、シール部品が貼着される、
情報コードを備える腕時計。
【請求項６】
請求項５に記載の情報コードを備える腕時計であって、
折り畳み式中留における表カバー、中板、下板の中から選ばれる、少なくとも１つの外装部品における裏側の外表面に、シール部品が貼着される、
情報コードを備える腕時計。
【請求項７】
請求項１から６のいずれかに記載の情報コードを備える腕時計であって、情報コードが形成されたコード形成面が、外装部品の外表面に対向するようにシール部品が貼着される、
情報コードを備える腕時計。
【請求項８】
請求項１から６のいずれかに記載の情報コードを備える腕時計であって、可撓性シール部品が、情報コードを覆う透光性の保護部を備える、
情報コードを備える腕時計。
【請求項９】
請求項８に記載の情報コードを備える腕時計であって、
透光性の保護部が、シール部品とは別体であり、可撓性のある被覆シートである、
情報コードを備える腕時計。
【請求項１０】
請求項１から９のいずれかに記載の情報コードを備える腕時計であって、
外装部品の外表面に形成された凹部内に、シール部品が貼着される、
情報コードを備える腕時計。
【請求項１１】
請求項１０に記載の情報コードを備える腕時計であって、
シール部品の外表面が、外装部品の外表面より突出しないように貼着される、
情報コードを備える腕時計。
【請求項１２】
情報コードを備える腕時計の製造方法であって、
基材と接合層と剥離シートから成るシール原板における基材の外表面の所定位置に情報コードを形成する情報コード形成工程と、
次いで、剥離シートから、情報コードを含む基材と接合層とから成るシール部品を剥離して、接合層を腕時計に接合することにより、シール部品を腕時計に貼着するシール部品貼着工程と、
を含む、情報コードを備える腕時計の製造方法。
【発明の詳細な説明】
【技術分野】
【０００１】
本発明は、バーコードなどに代表される、光学的リーダーによって読み取り可能な情報コードが付された腕時計、およびその製造方法に関する。
【背景技術】
【０００２】
生産地名、製造者名、商品名などの商品管理情報が記録された情報コードは、すでに広く知られている。このような情報コードは、通常、光学的リーダーによって読み取り可能な形態で用いられる。
たとえば、バーコードのような１次元コードは、このような情報コードの１つである。バーコードには、ＪＡＮ、標準ＩＴＦ，ＣＯＤＥ＝１３８，ＣＯＤＥ＝３９、あるいはＮＷ−７コードなどがあり、それぞれ固有の表示形式を持つ。広く使用されているＪＡＮコードの表示形式は、黒、あるいは白の７本のバーを組み合せて１つの数字を表わす１モジュールを形成する。そして、このモジュールを１３個並べることにより、１３桁の数字が表わされる。この１３桁の数字における最初の２桁は国番号、次の５桁が製造者名、続く５桁が商品名を表わし、最後の１桁は検算用に使用される。
また、近年、情報コードとして、バーコードのような１次元コードより、多くの情報を記録することができる２次元コードも使用されるようになってきている。この２次元コードは、数Ｃｍ四方のスペースに数百文字の情報をコード化して記録することができる。２次元コードとしては、たとえば超高密度パターンとしてバーコードを凝縮して多段化したスタックドバーコード、データコード、あるいはベリコードに代表されるマトリクスコードなどが知られている。
【０００３】
このような１次元コードや２次元コードに代表される情報コードは、たとえばＰＯＳ（Point Of Sales ）と呼ばれる商品管理システムで多用されている。それは、たとえば以下のように運用される。
まず、スーパーマーケット、コンビニエンスストアなどの販売店において、商品を販売した時に、商品に付されているバーコードが、光学的リーダーの１つであるバーコードリーダで読み取られる。バーコードから読み取られた商品管理情報がホストコンピュータに伝送され、商品種別毎の情報が収集される。そして、その収集された情報が、在庫管理、発注管理、あるいは販売管理などに利用される。
このように、ＰＯＳシステムは、店頭における商品物流管理に好適である。
【０００４】
また、情報コードは、メーカーから、商社や問屋などの仲介業者を経て、そして販売店に至るまでの商品の物流管理にも用いられる。
この場合、メーカー、仲介業者、および販売店それぞれにおいて、たとえば商品に付されているバーコードが、バーコードリーダで読み取られる。バーコードから読み取られた商品管理情報がホストコンピュータに伝送されて集積される。そして、メーカー、仲介業者、および販売店それぞれの物流管理者は、ホストコンピュータに接続された端末から、その集積されたデータを見ることができる。これにより、それぞれの物流管理者は、どの商品が、メーカー、仲介業者、および販売店それぞれに、何個存在するのかという物流情報を知る。彼らは、在庫管理、発注管理、あるいは販売管理に、この物流情報を利用できる。
【０００５】
さらに、情報コードは、販売店から顧客に販売された商品に対する、メーカーのアフターサービスにも利用される。
たとえば、販売後に故障した商品がメーカーに戻ってくると、商品に付されているバーコードから、商品管理情報がバーコードリーダで読み取られる。そして、メーカーは、商
品の検査データや不具合データなどの故障履歴データ、あるいは部品交換データなどの修理履歴データを、読み取られた商品管理情報を識別コードとして、ホストコンピュータに集積する。ホストコンピュータに商品の種別ごとに集積された履歴データは、商品の設計部門、製造部門、あるいは販売部門にフィードバックされる。
もし、情報コードに記録された商品管理情報に、個々の商品を識別するシリアル番号などのような個別番号が含まれれば、販売した商品１つごとに、故障履歴データや修理履歴データが管理される。
このアフターサービス管理は、故障した商品が顧客から持ち込まれるメーカーのサービスセンター、あるいは販売店においても、光学的リーダーと、ホストコンピュータと接続された端末とがあれば実施できる。
【０００６】
以上のような物流管理方法を、腕時計の流通に適用するために、腕時計に情報コードを付することも、すでに知られている（たとえば、特許文献１参照）。
特許文献１には、数字とバーコードから構成された情報コードが、腕時計のケースの裏蓋に、直接記録する形態で付されることが記載されている。しかしながら、この特許文献１は、情報コードを記録する方法については何ら開示しない。
【０００７】
他の文献は、情報コードを腕時計に記録する方法についても、様々な手法を提案している（たとえば、特許文献２参照）。
この特許文献２は、自己の身分を証明するＩＤ情報を含むバーコードを、腕時計に直接印刷することを教示する。また、この文献では、バーコードが蝕刻（エッチング）によって直接記録される。
さらに、この文献では、バーコードを印刷した板片が、嵌め合わせ、ねじ止め、あるいは接着によって、腕時計に取り付けられる。このように、情報コードが印刷された、腕時計とは別体の部品を、腕時計に取り付けることによっても、情報コードは腕時計に記録され得る。
【０００８】
【特許文献１】特許２５８４９６３号公報（第１〜６頁、第２図）
【特許文献２】実開平０６−６６３３６号公報（第１〜２頁、第１〜３図）
【発明の開示】
【発明が解決しようとする課題】
【０００９】
しかしながら、腕時計に情報コードを記録するために、上記のような従来手法を採用すると、様々な問題が生じる。それは、腕時計が身体に装着される装身具であることに起因する。
【００１０】
（第１の課題）
たとえば、腕時計の外表面に情報コードが直接印刷されると、腕時計を使用している間に、印刷された情報コードが剥がれたり、擦り切れたりしてしまう。この情報コードの印刷層の摩滅は、印刷層が装着者の肌と擦れ合ったり、衣服と擦れ合ったりするために生じる。この摩滅は、腕時計の使用期間における、かなり早い時期に発生し、情報コードを光学的リーダーで読み取ることを困難、甚だしくは全く不可能にしてしまう。
特に、情報コードが腕時計の裏蓋に印刷された場合、装着者の手首との摺動により、情報コードの摩滅は著しい。また、情報コードを印刷した別体の部品を、腕時計に取り付けても、情報コードの印刷層の摩滅は同様に発生する。
腕時計が顧客に販売される前までの物流管理にとって、腕時計の販売後に発生する情報コードの摩滅は問題とならないだろう。しかしながら、アフターサービス管理にとって、販売後の情報コードの摩滅は極めて大きな問題となる。なぜならば、故障した腕時計の情
報コードが摩滅して、光学的リーダーによって読み取ることができなくなれば、アフターサービス管理もまた、できなくなってしまうためである。
さらに、摩滅により半ば消えかかった情報コードが残存すると、それは汚れのように視認されるため、装身具としての美観が損なわれてしまう。
【００１１】
（第２の課題）
また、従来技術のように、エッチングによって腕時計に情報コードを凹凸状に形成すれば、情報コードが光学的リーダーで読み取れなくなるほどに摩滅する危険性はほとんど無くなる。しかしながら、エッチングによって情報コードを形成するのでは、製造コストが著しく高くなる。
【００１２】
（第３の課題）
そればかりか、腕時計における、装着者の肌と接触する場所に、エッチングによって情報コードを記録すると、腕時計の装着感が悪くなる。特に、裏蓋に凹凸状の情報コードを記録すると、情報コードの凹凸が手首に常に当たって、腕時計の装着感が極めて悪い。甚だしくは、情報コードの凹凸によって、装着者の肌が傷つけられてしまう。
【００１３】
（第４の課題）
また、従来技術では、情報コードを光学的リーダーで読み取りやすくすることのみを考慮して、腕時計における視認されやすい場所に情報コードが付される。
しかしながら、情報コードを腕時計に付するに、いかなる手法を採用しようとも、容易に視認されるように情報コードを付してしまうと、腕時計の高級感や美観が完全に損なわれてしまう。これは、腕時計の装身具としての商品価値を致命的に失わせる。
逆に、腕時計のケース内部などのように、ケースを分解しない限り、全く視認されない場所に情報コードを付すると、情報コードを光学的リーダーで容易に読み取れなくなるという問題が生じる。
【００１４】
本発明は、上述の欠点を解消するものであり、その目的は以下の通りである。
（１）本発明の第１の目的は、上述の欠点を解消し、長期にわたって使用しても情報コードが消えない、情報コードを備える腕時計を提供することである。
（２）本発明の第２の目的は、上述の欠点を解消し、安価に製造される、情報コードを備える腕時計を提供することである。
（３）本発明の第３の目的は、上述の欠点を解消し、装着感に優れた、情報コードを備える腕時計を提供することである。
（４）本発明の第４の目的は、上述の欠点を解消し、美観を損ねず、かつ情報コードを光学的リーダーで容易に読み取ることができる、情報コードを備える腕時計を提供することである。
【課題を解決するための手段】
【００１５】
本発明の情報コードを備える腕時計は、上記目的を達成するため、
「レーザーによって情報コードが形成されたシール部品が、腕時計の外装部品の外表面に貼着された」
ものである。
【００１６】
すなわち、本発明においては、レーザー照射によって、シール部品の外表面が部分的に凹状に除去されて、凹凸状を成す情報コードが形成される。情報コードは、１次元コードであっても、２次元コードであっても良い。たとえば、情報コードが１次元コードのバーコードである場合、凹部がバーであろうとも、凸部がバーであろうともかまわない。たとえば、情報コードが２次元コードのマトリクスコードである場合、このコードを構成する最小単位となる矩形状、あるいはドット状であるセルは、凹部であろうとも、凸部であろ
うともかまわない。
情報コードをシール部品にレーザーマーキングするには、どのようなレーザーマーキング装置が採用されても良い。たとえば、スキャニング式ＹＡＧレーザーマーキング装置が用いられる。
この情報コードに記録される腕時計の商品管理情報には、腕時計のモデルを識別するモデル識別コード、ムーブメントを識別するムーブメント番号、生産地名、工場名、ロット番号、注文番号、あるいは腕時計１つ１つに一対一対応に付されるシリアル番号などが含まれる。
【００１７】
本発明では、このように情報コードが記録されたシール部品が、腕時計の外装部品の外表面に貼着される。これにより、エッチングやレーザー刻印で、腕時計の外装部品の外表面に直接情報コードを彫り込むことに比べれば、情報コードを備える腕時計が極めて安価に製造される。
なお、ここで、外装部品とは、たとえば、風防、ベゼル、レジスターリング、ケース、裏蓋、バンド、中留、あるいはリューズやプッシュボタンなど、計時機能を担うムーブメントを収納し、腕時計としての機能的、あるいは装飾的形態を担う部品群を言う。
【００１８】
外装部品にシール部品を貼着する場合、凹凸状に形成された情報コードが内方に向くように、すなわち情報コードが外装部品の外表面に対向するように、シール部品は、外装部品に貼着されても良い。
あるいは、凹凸状に形成された情報コードが外方に向くように、すなわち情報コードが外装部品の外表面に対向しないように、シール部品は、外装部品に貼着されても良い。
情報コードが外方に向くように露出した場合、たとえ情報コードが装着者の手首と擦れ合っても、この情報コードは凹凸状に形成されているので、印刷層のように、光学的リーダーで読み取れなくなるほど摩滅しない。このように、本発明の情報コードを備える腕時計は、長期にわたって使用しても情報コードが消えない信頼性を保証する。
【００１９】
また、本発明の情報コードを備える腕時計は、上記目的を達成するため、
「情報コードが形成された可撓性シール部品が、外装部品の外表面に貼着された」
ものでもある。
【００２０】
この可撓性のあるシール部品は、情報コードが形成される可撓性の基材と、この基材を外装部品に貼着するための可撓性の接合層から成ることが好ましい。この可撓性の基材の外表面、すなわち接合層の無い面に、印刷によって、あるいは前述のようにレーザー照射によって、情報コードが形成される。印刷としては、記録される情報コードの商品管理情報を迅速に変えられるインクジェット方式を用いた印刷が、少量多種生産に対応できるので好ましい。
【００２１】
基材の素材としては、合成樹脂類、あるいは天然樹脂類が採用される。たとえば、ポリエチレンやポリプロピレンなどのポリオレフィン樹脂、ポリエステル樹脂、ポリカーボネート樹脂、ポリ塩化ビニルやこれを更に塩素化した塩素化ポリ塩化ビニルなどの塩化ビニル系樹脂などから成るフレキシブルなフィルム、またはシートが採用される。
【００２２】
また、接合層としては、粘着剤から成る粘着剤層が、密着性が高いので好ましい。
粘着剤として適用できる材料としては、たとえば主剤としての弾性体と、粘着付与剤、可塑剤、充填剤等の助剤から構成されるゴム系、アクリル系及びシリコーン系粘着剤が採用される。そして、上記の主剤としての弾性体には、天然ゴム、合成イソプレン、再生ゴム、ＳＢＲゴム、ポリイソプレンゴム、ポリアクリル酸エステル又はその誘導体、スチレン−イソプレン−スチレンゴム、シリコーンゴム、シリコーンレジンなどがある。また、上記の粘着付与剤にはロジン系及びロジン誘導体、ポリテルペン樹脂、クロマン−インデ
ン樹脂、石油系樹脂、テルペンフェノール樹脂等がある。上記の可塑剤としては液状ポリブテン、鉱油、ラノリン、液状ポリイソプレン、液状ポリアクリレートなどがある。
また、必要に応じて体質顔料や無機顔料などの充填剤、さらには、酸化防止剤などの劣化防止剤が添加されてもよい。
【００２３】
このように、情報コードが形成されたシール部品を可撓性素材にすることにより、腕時計の外表面に貼着されたシール部品が、腕時計の装着者の手首に柔軟な感触を与える。特に、情報コードがレーザー照射によって形成された凹凸状である場合も、情報コードの凹凸が装着者の手首に接触しようとも、凹凸が柔軟に屈曲するので、装着者の手首に柔軟な感触が与えられる。
よって、本発明は、装着感の良い、情報コードを備える腕時計を提供できる。
【００２４】
また、本発明においては、
「シール部品が真偽判定シールである」ことが好ましい。
【００２５】
真偽判定シールは、腕時計の真性品と偽造品を判別するために、腕時計の外装部品である裏蓋の外表面に貼着されるシール部品であり、すでに広く用いられている。本発明は、この真偽判定シールの外表面に、印刷によって、あるいは前述のようにレーザー照射によって、情報コードを形成する。これにより、情報コードが形成されたシール部品と、真偽判定シールとを、それぞれ別個に外装部品に貼着する必要が無いので、部品点数が削減される。ゆえに、本発明の情報コードを備える腕時計は安価に製造される。本発明におけるシール部品は、情報コードの記録と真偽判定双方の機能を備える。
【００２６】
このような真偽判定シールとしては、たとえばホログラム機能を備えるホログラムシールが好ましい。ホログラムは光の干渉を利用して立体映像を映し出し得るものであり、その製造には多額の費用がかかるばかりか、高度な技術を要する。よって、複写が困難であるために、真性品と偽造品を判別する効果が大きい。
特に、ホログラムシールの中でも、白色光で立体映像が再生され、虹のような色彩を放つレインボーホログラムを採用したレインボーホログラムシールは、貼着された腕時計を装飾するので、さらに好ましい。
【００２７】
このレインボーホログラムとしては、たとえば反射型レインボーホログラムが採用される。反射型レインボーホログラムは、自然光が入射した場合に、その波長に応じた回折角で反射回折光を生じて、虹模様を視認させる。さらに、この反射回折光が虚像位置に結像して立体画像を構成する。
反射型レインボーホログラムは、樹脂層表面に形成された光学的深さ、およびピッチの凹凸から構成されるエンボスホログラムの凹凸に沿って、反射性金属薄膜、あるいは高屈折率透明薄膜を設けて形成される。この薄膜表面に透明保護層が備えられてもよい。
この金属薄膜としては、アルミニウム、金、銀、銅、錫などが採用される。
透明薄膜としては、酸化珪素、酸化チタン、酸化錫、酸化インジウム、硫化亜鉛、ＩＴＯ（インジウム・スズ・オキサイド）などが採用される。
これらの薄膜は、真空蒸着やスパッタリングなどの乾式めっき法などで被覆される。また、透明保護層としては、周知の様々な透明樹脂が採用される。
【００２８】
また、本発明においては、
「シール部品が傷防止シールである」ことが好ましい。
【００２９】
傷防止シールは、腕時計の風防の外表面、あるいはバンドの外表面などに貼着されるシールであり、すでに広く用いられている。
たとえば、ケースに回転可能に連結されるバンドの外表面は、ケースと接触することに
よって、傷ついてしまうことがある。この傷によって、装身具としての腕時計の商品価値が損なわれる。これを避けるために、回転するバンドがケースと接触しないように、傷防止シールは利用される。傷防止シールは、バンドの外表面における、ケースと接触する接触部などに貼着される。この接触部は、バンドにおけるケースとの連結部の近傍に位置することが多い。傷防止シールは、ケースとバンドとの間に挟持されることもある。
また、バンドの外表面における、中留と接触する接触部に、この傷防止シールが貼着されることもある。
【００３０】
同様に、風防の外表面に傷がつくと、腕時計の美観が失われるばかりか、時刻表示が視認されにくくなる。これを避けるために、傷防止シールは風防の外表面にも貼着される。
【００３１】
この傷防止シールは、合成樹脂類、あるいは天然樹脂類から成る、可撓性のあるシールであって、メーカーから、商社や問屋などの仲介業者を経て、そして販売店に至るまでの搬送ルートにおいて、外力の負荷によって風防が傷ついたり、ケースと接触してバンドが傷ついたりすることを防ぐ。あるいは、販売店の店頭でも、腕時計が顧客に販売されるまで、この傷防止シールを貼着したまま腕時計が置かれることも多い。この傷防止シールによって、メーカーから出荷された腕時計は、傷つくことなく、その美観を保ちながら、店頭まで搬送される。
【００３２】
本発明は、この傷防止シールの外表面に、印刷によって、あるいは前述のようにレーザー照射によって、情報コードを形成する。これにより、情報コードが形成されたシール部品と、傷防止シールとを、それぞれ別個に外装部品に貼着する必要が無いので、部品点数が削減される。ゆえに、本発明の情報コードを備える腕時計は安価に製造される。
また、本発明におけるシール部品は、情報コードの記録と傷防止双方の機能を備える。ゆえに、本発明は、美観を損ねずに、かつ情報コードを光学的リーダーで容易に読み取ることができる、情報コードを備える腕時計を提供できる。
【００３３】
また、本発明の情報コードを備える腕時計は、
「ケース、バンド、中留の中から選ばれる、少なくとも１つの外装部品における裏側の外表面に、シール部品が貼着されること」が好ましい。
【００３４】
ここで、腕時計における裏側とは、腕時計が手首に装着された状態において、手首と対向する側を言う。
シール部品が外装部品における裏側の外表面に貼着されれば、腕時計の装着者からはシール部品が容易に視認されないので、腕時計の高級感や美観が損なわれない。また、腕時計を分解しなくとも、シール部品の情報コードは光学的リーダーで容易に読み取られる。
時刻確認のために装着者に見られる頻度の多いケースに比べ、バンドや中留の裏側は装着者に見られる頻度が少ない。よって、シール部品は、特にバンドや中留の裏側の外表面に貼着されることが好ましい。
このように、本発明は、美観を損ねず、かつ情報コードを光学的リーダーで容易に読み取ることができる、情報コードを備える腕時計を提供できる。
【００３５】
また、本発明の情報コードを備える腕時計は、
「シール部品が、折り畳み式中留における表カバー、中板、下板の中から選ばれる、少なくとも１つの外装部品における裏側の外表面に貼着されること」
が好ましい。
【００３６】
シール部品が外装部品における表カバー、中板、あるいは下板における裏側の外表面に貼着されれば、腕時計の装着者からはシール部品が容易に視認されないので、腕時計の高級感や美観が損なわれない。
【００３７】
特に、表カバー、あるいは中板の裏側の外表面に、シール部品が貼着されれば、折り畳み式中留を折り畳んだ状態、すなわち折り畳み式中留を閉じて施錠した状態においては、表カバーの裏側は中板の表側に重ねられ、中板の裏側は下板の表側に重ねられるため、シール部品は装着者から全く視認されない。
よって、シール部品が貼着されようとも、装身具としての腕時計の美観が確実に維持される。
また、この折り畳み式中留を解錠して開けば、表カバーの裏側や中板の裏側が露出するので、これらの箇所に貼着されたシール部品もまた露出する。よって、折り畳み式中留を開くだけで、シール部品の情報コードは光学的リーダーで容易に読み取られる。
【００３８】
また、本発明の情報コードを備える腕時計は、
「情報コードが形成されたコード形成面が、外装部品の外表面に対向するようにシール部品が貼着される」ものであってもよい。
【００３９】
この場合も、前述と同様に、シール部品は、情報コードが形成される可撓性の基材と、この基材を外装部品に貼着するための可撓性の接合層から成ることが好ましい。この可撓性の基材の表面に、印刷によって、あるいはレーザー照射によって、情報コードが形成される。そして、情報コードが形成された基材の表面がコード形成面となる。
このコード形成面の表面に接合層が配置される。そして、シール部品が接合層を介して外装部品に貼着される。コード形成面の表面は、外装部品の外表面に対向する。このコード形成面の表面は、外表面ではなく、今までの方向性の定義から内表面と言える。
また、接合層としては、前述したような粘着剤から成る粘着剤層が好ましい。
【００４０】
このように、コード形成面が、外装部品の外表面に対向するようにシール部品が貼着されれば、シール部品の情報コードは、装着者の肌と擦れ合ったり、衣服と擦れ合ったりしない。これによる情報コードの磨耗や磨滅が避けられる。よって、長期にわたって使用しても情報コードが消えない、情報コードを備える腕時計が提供される。
特に、レーザー照射によって凹凸状に形成された情報コードが採用された場合であっても、情報コードの凹凸が装着者の肌に接触しないので、極めて装着感に優れた、情報コードを備える腕時計が提供される。
【００４１】
また、本発明の情報コードを備える腕時計は、
「可撓性シール部品が、情報コードを覆う透光性の保護部を備えること」ができる。
【００４２】
この場合も、このシール部品は、情報コードが形成される可撓性の基材と、この基材を外装部品に貼着するための可撓性の接合層から成ることが好ましい。この基材の外表面、すなわち接合層の無い面に、情報コードが形成される。この情報コードが形成された基材の外表面に、保護部が形成される。
この保護部は、シール部品の情報コードを光学的リーダーで読み取り易くするために、透光性であることが好ましく、透明、あるいは半透明とされる。この保護部を通して光学的リーダーが情報コードを読み取りできるという限定において、この保護部が着色されていてもよい。
【００４３】
このように、シール部品が、情報コードを覆う透光性の保護部を備えれば、シール部品の情報コードは、保護部に保護されて、装着者の肌と擦れ合ったり、衣服と擦れ合ったりすることがない。よって、情報コードの磨耗や磨滅が避けられるので、長期にわたって使用しても情報コードが消えない、情報コードを備える腕時計が提供される。
特に、レーザー照射によって凹凸状に形成された情報コードが採用された場合であっても、保護部に保護されて、情報コードの凹凸が装着者の肌に接触しないので、極めて装着
感に優れた、情報コードを備える腕時計が提供される。
【００４４】
また、本発明においては、
「透光性の保護部は、シール部品とは別体であり、可撓性のある被覆シートである」ことが、安価に保護部を形成できるために好ましい。
この場合、この被覆シートは、情報コードが形成される基材と同じように、可撓性であることが好ましく、基材と同一の素材であっても良い。この被覆シートは、接着や熱圧着などの手法によって、容易に、かつ安価にシール部品に接合され得る。また、シール部品と同様に可撓性であるため、装着者に柔軟な感触を与える。よって、極めて装着感に優れた、情報コードを備える腕時計が提供される。
【００４５】
また、本発明の情報コードを備える腕時計は、
「これら外装部品の外表面に形成された凹部内に、シール部品が貼着される」ものであってもよい。
すると、シール部品の外縁が、腕時計の装着者の衣服などに引っかかって、シール部品が外装部品より剥離される危険が回避される。よって、長期にわたり使用しても、シート部品が外装部品より剥がれない、情報コードを備える腕時計が提供される。
【００４６】
さらに、この場合、
「シール部品の外表面が、外装部品の外表面より突出しない」ことが好ましい。
ここで、突出しないとは、シール部品の外表面が、外装部品の外表面とほぼ同一平面に位置するか、あるいは、外装部品の外表面より低く、外装部品の内部に向けて引っ込んでいることを言う。
すると、シール部品に意図しない外力が負荷されにくくなるので、シール部品が外装部品より剥離される危険が確実に回避される。
さらに、シール部品の情報コードが、装着者の肌と擦れ合ったり、衣服と擦れ合ったりしにくくなる。よって、長期にわたって使用しても情報コードが消えない、情報コードを備える腕時計が提供される。
また、レーザー照射によって凹凸状に形成された情報コードが採用された場合であっても、情報コードの凹凸が装着者の肌に接触しないので、極めて装着感に優れた、情報コードを備える腕時計が提供される。
【００４７】
また、上記目的を達成するため、本発明の情報コードを備える腕時計の製造方法は、
「基材と接合層と剥離シートから成るシール原板における基材の外表面の所定位置に情報コードを形成する情報コード形成工程と、
次いで、剥離シートから、情報コードを含む基材と接合層とから成るシール部品を剥離して、接合層を腕時計に接合することにより、シール部品を腕時計に貼着するシール部品貼着工程と、を含む」
ものである。
この本発明の製造方法により、情報コードが記録されたシール部品を外装部品の外表面に備える腕時計が、極めて安価に製造される。
【発明の効果】
【００４８】
以上、説明したごとく、本発明は下記の効果を奏する。
（１）本発明は、長期にわたって使用しても情報コードが消えない、情報コードを備える腕時計を提供できる。
（２）本発明は、安価に製造される、情報コードを備える腕時計を提供できる。
（３）本発明は、装着感に優れた、情報コードを備える腕時計を提供できる。
（４）本発明は、美観を損ねず、かつ情報コードを光学的リーダーで容易に読み取ることができる、情報コードを備える腕時計を提供できる。
【発明を実施するための最良の形態】
【００４９】
以下、本発明の最良の実施形態について説明するが、本発明は、これらの実施形態により何ら限定されるものではない。
【実施例１】
【００５０】
図１から図４が参照される。
図１は、 本発明に係わるシール部品１を示す。このシール部品１は、ポリエステルから成る、可撓性を備える基材２を含む。ほぼ円板状を成す基材２の下面に、粘着剤層から成る接合層３が形成される。
シール部品１の上面に、腕時計の商品管理情報を含む情報コード４が形成される。情報コード４は、シール部品１の上面における矩形のコード形成面に形成された、複数の凹凸として図示される。これら凹凸それぞれがマトリクスコードのセルを構成することによって、情報コード４は、光学的リーダーによって２次元コードとして読み取られる。図１では、便宜のため、斜線を含む矩形として凹部が図示される。
なお、ここで、上下とは、図２における上下方向に準ずる。
【００５１】
図３は、裏側を上向きにした腕時計の部分を示す。
この腕時計は、ケース５を含む。ケース５の裏側に、裏蓋６が配置される。ケース５の両側それぞれには、一対の連結脚からなる連結部５ａが形成される。この連結部５ａそれぞれにバンド７が回転可能に連結される。
この裏蓋６の外表面に、シール部品１が接合層３によって貼着される。
【００５２】
裏側にシール部品１が貼着されたケース５は、図４に詳しく図示される。図４では、ケース５の表側が上を向くように、ケース５の裏側が下を向くように、ケース５の断面が図示される。
ケース５の内部には、時刻表機能を担うムーブメント８が収納される。ムーブメント８の表側に載置された文字板と、文字板の表側に配置された指針が、腕時計の時刻表示部９を構成する。時刻表示部９を覆うように、風防１０がケース５の表側に配置される。
ケース５に固定された裏蓋６の裏側の外表面に、情報コード４が外側を向くように、シール部品１が接合層３によって貼着される。
ここで、表側とは、図面における上側を示し、裏側とは、図面における下側を示す。
【００５３】
シール部品１を備える腕時計は、次のように製造される。図５から７が参照される。
（情報コード形成工程）
まず、図５に示されるように、シール原板１００が用意される。このシール原板１００は、剥離シート１１の上面に、複数の基材２それぞれが接合層３を介して貼着されて構成される。
このシール原板１００における基材２の外表面、すなわち図における上面に、レーザーが照射される。よって、図６に示されるように、複数の基材２の外表面に、順次所定の凹部がレーザーマーキングされる。これらの凹部により、２次元コードである情報コード４が、複数の基材２の外表面に形成される。
結果、図７に示されるように、１枚の剥離シートに、情報コード４を備えるシール部品１が複数貼着された、シール部品シート１０１が得られる。
【００５４】
（シール部品貼着工程）
次いで、図３に示されるように、このシール部品シート１０１における剥離シート１１から、シール部品１が剥離されて、接合層３を介して裏蓋６の外表面に貼着される。よって、情報コード４を備える腕時計が完成する。
このように、複数のシール部品１が貼着されたシール部品シート１０１を用いると、腕
時計にシール部品を貼着する作業が容易になる。
なお、このシール部品シート１０１における剥離シート１１の余白に、シール部品１の情報コード４に含まれる商品管理情報を肉眼で判読可能に記載した商品管理可視情報１１ａが設けられてもよい。すると、作業者は、シール部品と腕時計の対応を間違わずに、シール部品を腕時計に貼着できる。商品管理可視情報１１ａとして、たとえば商品管理情報を肉眼で判読可能に記載した、文字、記号、あるいは絵柄などが採用される。
【００５５】
また、前述の情報コード形成工程において、レーザーマーキングの換わりにインクジェットによる印刷が採用されてもよい。この場合、図８に示されるように、インクジェットによる印刷層によって、基材２の外表面に情報コード１３が形成される。この印刷による情報コード１３を含むシール部品１２が、前述と同様に、腕時計に貼着される。
【実施例２】
【００５６】
図９と１０が参照される。実施例１と同じ部品には、同じ番号が付される。
この実施例では、裏蓋６の裏側の外表面に凹部６ａが形成される。凹部６ａは、円形の裏蓋６の中央に、裏蓋６と同心円を成すように凹設される。
この凹部６ａの内部に、実施例１と同様に、シール部品１が貼着される。
【００５７】
図１０に参照されるように、裏蓋６の凹部６ａの内部に、情報コード４が外側を向くように、シール部品１が接合層３によって貼着される。シール部品１の外端面、すなわち情報コード４を構成する凸部の外端面が、裏蓋６の外端面と、ほぼ同一平面を成すように、シール部品１は貼着される。
これにより、シール部品１が裏蓋６から剥離される危険が確実に回避される。また、情報コード４が、装着者の肌と擦れ合ったり、衣服と擦れ合ったりしにくくなるので、長期にわたって使用しても情報コード４が消えない。さらに、情報コード４の凹凸が装着者の肌に接触しないので、腕時計の装着感が改善される。
【実施例３】
【００５８】
図１１が参照される。
この実施例では、腕時計のバンドの裏側に、シール部品が貼着される。
バンド１５の裏側が上方を向くように図示される。それぞれのバンドの駒１４が、公知の手段で順次連結され、バンド１５を構成する。いくつかの駒１４における裏側の外表面に、凹部１４ａが形成される。その凹部１４ａの内部に、実施例２と同様に、情報コード４が外側を向くように、シール部品１が接合層３によって貼着される。
このように、複数のシール部品１が貼着されれば、シール部品の数量に比例して、情報コードの量も増える。よって、より多くの商品管理情報が腕時計に付随される。
【実施例４】
【００５９】
図１２と１３が参照される。
この実施例では、腕時計の中留の裏側に、シール部品が貼着される。
三つ折れ中留１５は、裏側に開口する枠体である表カバー１６を備える。表カバー１６は、表壁１６ａと、表壁１６ａの縁から裏側に延出して、バンドの幅方向に沿って対向する、２つの側壁１６ｂとを含む。
この表カバー１６の一端に中板１７の一端が回転可能に連結される。この中板１７の他端に、外板１８の一端が回転可能に連結される。表カバー１６、中板１７、および外板１８が、折り畳み可能な三つ折れ中留１５を構成する。
一方のバンド１９は、表カバー１６の他端に回転可能に連結される。また、他方のバンド２０は、外板１８の他端に回転可能に連結される。
【００６０】
三つ折れ中留１５を折り畳んだ状態に維持する錠止装置は、表カバー１６に配置される
プッシュボタン装置２１と、外板１８の表側より突出するロックピン２２を含む。三つ折れ中留１５が折り畳められると、プッシュボタン装置２１がロックピン２２と係合し、表カバー１６と外板１８が錠止される。
【００６１】
中留１５の外板１８における裏側の外表面に、レーザー照射によって形成された情報コード４が外側を向くように、シール部品１が接合層３によって貼着される。シール部品１は、錠止装置を担うロックピン２２と重ならない位置に貼着される。
表カバー１６における表壁１６ａの裏側に、インクジェットで印刷された情報コード１３が外側を向くように、シール部品１２が接合層３によって貼着される。このシール部品１２は、錠止装置を担うプッシュボタン装置２１と重ならない位置に貼着される。
このように、中留１５の錠止装置の作動を妨げないように、シール部品１と１２は、中留１５の錠止装置と重ならない位置に貼着されることが好ましい。
【００６２】
また、表カバー１６の裏側に貼着されたシール部品１２は、表壁１６ａと両側壁１６ｂに隠されるので、極めて外方から視認されにくい。さらに、中留１５が折り畳まれて施錠された状態においては、表カバー１６の裏側は中板１７の表側に重ねられるので、シール部品１２は装着者から全く視認されない。このように、表カバー１６の裏側へのシール部品の貼着は、腕時計の美観を損なわない。
【００６３】
プッシュボタン装置２１を作動させれば、プッシュボタン装置２１とロックピン２２との係合が解除される。すると、折り畳まれた中留１５が解錠されて、表カバー１６、中板１７、および外板１８が、図示されるように拡開される。
このように、中留を拡開した状態にすれば、これらシール部品１の情報コード４、およびシール部品１２の情報コード１３は、光学的リーダーによって容易に読み取られる。
なお、中板１７の裏面にシール部品を貼着してもよい。この場合、中留１５が折り畳まれる際、ロックピン２２を通過させるために、中板１７に穿設された貫通孔１７ａと重ならない位置にシール部品は貼着される。
【実施例５】
【００６４】
図１４と１５が参照される。
この実施例では、実施例４とは別の形態の中留に、シール部品が貼着される。
この実施例における中留は、一方のバンド２４の一端に連結された本体部２５を含む。本体部２５の先端に回転可能に連結された蓋２６に、ロックピン２７が突設される。このロックピン２７と係合するプッシュボタン装置２８が、本体部２５に取り付けられる。
他方のバンド２９の一端に、駒３０が連結される。おおよそＵ字型を成す駒３０の２本の開放端の間を架橋するように架橋ピン３１が取り付けられる。よって、駒３０と架橋ピン３１とが、表裏に貫通した挿通部３２を形成する。
【００６５】
図１５に示されるように、挿通部３２を通過した蓋３２のロックピン２７が、本体部２５内に挿入され、プッシュボタン装置２８と係合する。よって、一方のバンド２４と他方のバンド２９が中留を介して錠止される。
この本大部２５の裏側の外表面に凹部２５ａが凹設される。この凹部２５ａの内部に、情報コード４が外側を向くように、シール部品１が接合層３によって貼着される。
【実施例６】
【００６６】
図１６と１７が参照される。
この実施例では、風防とバンドの傷防止シールが、シール部品と兼用される。
ケース３３の一端から、バンドの長手方向に沿って表壁３３ａが張り出す。この表壁３３ａの両縁から裏側に向けて、バンドの幅方向に対向するように、２つの側壁３３ｂが延出する。表壁３３ａの裏側に位置して、かつ両側壁３３ｂの間に挟まれるように、一方の
バンド３４がケース３３に回転可能に連結される。
ケース３３の他端には、他方のバンド３５が連結される。
【００６７】
一方のバンド３４における表側の外表面に、おおよそ矩形を成すシール部品１が、接合層３によって貼着される。図１７に示されるように、シール部品１は、一方のバンド３４における、表壁３３ａの裏側に隠れた部分から、表壁３３ａの外方に露出した部分にわたって貼着される。このシール部品１により、一方のバンド３４における表側の外表面がケース３３の表壁３３ａと接触して傷つくことが防止される。よって、シール部品１は、傷防止シールを兼ねる。
シール部品１は、レーザー照射によって形成された情報コード４を備える。この情報コード４は、光学的リーダーによって読み取られやすいように、シール部品１における、表壁３３ａの外方に露出した部分に位置する。
【００６８】
ケース３３は、時刻表示部を覆う、おおよそ矩形を成す風防３６を備える。この風防３６の表側に、同じく矩形を成すシール部品１２が接合層３によって貼着される。このシール部品１２は、風防３６の傷つきを防止する傷防止シールを兼ねる。シール部品１２は、印刷による情報コード１３が表側を向くように貼着される。
【実施例７】
【００６９】
図１８と１９が参照される。
この実施例では、シール部品が真偽判定シールを兼ねる。
図１８は、このシール部品３７の断面を示す。
シール部品３７は、ポリエステルから成る透明な基材３８を含む。この基材３８の下面に、透明熱可塑性樹脂層３９が設けられる。予め作成したホログラムスタンパーが熱圧されて、この透明熱可塑性樹脂層３９の下面にスタンピングされる。よって、透明熱可塑性樹脂層３９の下面にホログラム４０が形成される。このエンボス面に純度９９．９％のアルミニウム４１が、真空蒸着法によって、５００Åの厚さに被覆され、反射型レインボーホログラムが形成される。さらに、反射型レインボーホログラムの下面であるホログラム形成面に、粘着剤層から成る接合層４２が積層される。
基材３８の上面に、レーザー照射によって凹凸状の情報コード４３が形成される。
このように作成されたシール部品３７は、実施例１のように、接合層を介して剥離シートに貼着された状態で保管される。
なお、ここで上下とは、図面の上下方向に準ずる。
【００７０】
このシール部品３７は、実施例２と同様に、裏蓋６の凹部６ａ内に貼着される。図１９では、裏蓋６のみが抜粋されて図示される。
裏蓋６の凹部６ａの内部に、情報コード４３が外側を向くように、シール部品３７が接合層４２によって貼着される。シール部品３７の外端面、すなわち情報コード４３を構成する凸部の外端面が、裏蓋６の外端面と、ほぼ同一平面を成すように、シール部品３７は貼着される。
【実施例８】
【００７１】
図２０が参照される。
実施例２と同様に、裏蓋６の凹部６ａの内部に、情報コード４が外側を向くように、シール部品１が接合層３によって貼着される。このシール部品１の外端面、すなわち情報コード４が形成された面の外表面に、情報コード４を覆うように、透光性の保護部４４が積層される。この保護部４４の外端面は、裏蓋６の外端面とほぼ同一平面を成す。
【００７２】
この保護部４４は、透明、あるいは半透明な、可撓性を備える合成樹脂より成る。
この保護部は、シール部品１とは別体の被覆シートとして作成される。この被覆シート
は、接着や熱圧着などの手法によって、シール部品１における情報コード４が形成された面の外表面に接合される。保護部４４を備えるシール部品１は、実施例１のように、接合層３を介して剥離シートに貼着された状態で保管される。
あるいは、裏蓋６の凹部６ａの内部に貼着されたシール部品１に、被覆シートが接合されてもよい。
【００７３】
保護部４４を通して、光学的リーダーが情報コード４を読み取る。よって、この保護部４４は、光学的リーダーによる情報コード４の読み取りを妨げないように、透光性であることが好ましい。たとえば、保護部４４の素材は、透明、あるいは半透明とされる。情報コード４の読み取りを妨げないのであれば、保護部４４が着色されてもかまわない。
【実施例９】
【００７４】
図２１が参照される。
この実施例では、実施例８におけるシール部品１の代えて、シール部品１２が採用される。裏蓋６の凹部６ａの内部に、情報コード１３が外側を向くように、シール部品１２が接合層３によって貼着される。このシール部品１２の表面に、情報コード１３を覆うように、透光性の保護部４４が積層される。
この他の点は、実施例８と同様に実施される。
【実施例１０】
【００７５】
図２２が参照される。
この実施例では、実施例２におけるシール部品１の代えて、シール部品４５が採用される。このシール部品４５は、ポリエステルから成る、可撓性を備える基材４６を含む。円板状の基材４６の片面に、レーザー照射によって、凹凸状の２次元コードである情報コード４７が形成される。この情報コード４７は、腕時計の商品管理情報を含む。基材４６における情報コード４７が形成されたコード形成面に、粘着剤層から成る接合層４８が形成される。
【００７６】
裏蓋６の凹部６ａの内部に、シール部品４５が接合層４８によって貼着される。シール部品４５におけるコード形成面が、裏蓋６の凹部６ａの外表面に対向する。
シール部品４５における基材４６の外端面は、裏蓋６の外端面より内側に引っ込む。図においては、基材４６の外端面は、裏蓋６の外端面より上方に位置して図示される。
これにより、シール部品４５の情報コード４７は、装着者の肌と擦れ合ったり、衣服と擦れ合ったりしないので、情報コード４７の磨耗や磨滅が避けられる。さらに、情報コード４７の凹凸が装着者の肌に接触しないので、腕時計の装着感を損ねない。
【００７７】
この場合、基材４６を通して、光学的リーダーが情報コード４７を読み取る。よって、光学的リーダーの読み取りを妨げないように、この基材４６は、透光性であることが好ましい。たとえば、基材４６の素材は、透明、あるいは半透明とされる。情報コード４７の読み取りを妨げないのであれば、基材４６が着色されてもかまわない。
【実施例１１】
【００７８】
図２３が参照される。
この実施例では、実施例１０における情報コード４７に代えて、インクジェット方式により印刷された情報コード４９を備えるシール部品５０が採用される。
裏蓋６の凹部６ａの内部に、シール部品５０が接合層４８によって貼着される。シール部品５０における基材４６にコード形成面に印刷された情報コード４９は、裏蓋６の凹部６ａの外表面に対向する。
シール部品５０における基材４６の外端面は、裏蓋６の外端面より内側に引っ込む。
この他の点は、実施例１０と同様に実施される。
【図面の簡単な説明】
【００７９】
【図１】本発明に係わるシール部品を示す平面図である。
【図２】本発明に係わるシール部品を示す断面図である。
【図３】本発明の実施例１における腕時計のケースを示す斜視図である。
【図４】本発明の実施例１における腕時計のケースを示す断面図である。
【図５】本発明に係わるシール原板を示す断面図である。
【図６】本発明に係わるシール部品シート示す断面図である。
【図７】本発明に係わるシール部品シート示す平面図である。
【図８】本発明に係わる別のシール部品シート示す断面図である。
【図９】本発明の実施例２における腕時計のケースを示す斜視図である。
【図１０】本発明の実施例２における腕時計のケースを示す断面図である。
【図１１】本発明の実施例３における腕時計のバンドを示す斜視図である。
【図１２】本発明の実施例４における腕時計の中留を示す斜視図である。
【図１３】本発明の実施例４における腕時計の中留を示す断面図である。
【図１４】本発明の実施例５における別の中留を示す斜視図である。
【図１５】本発明の実施例５における別の中留を示す断面図である。
【図１６】本発明の実施例６における腕時計のケースを示す斜視図である。
【図１７】本発明の実施例６における腕時計のケースを示す断面図である。
【図１８】本発明に係わる別のシール部品を示す断面図である。
【図１９】本発明の実施例７における腕時計の裏蓋を示す断面図である。
【図２０】本発明の実施例８における腕時計の裏蓋を示す断面図である。
【図２１】本発明の実施例９における腕時計の裏蓋を示す断面図である。
【図２２】本発明の実施例１０における腕時計の裏蓋を示す断面図である。
【図２３】本発明の実施例１１における腕時計の裏蓋を示す断面図である。
【符号の説明】
【００８０】
１  シール部品
２  基材
３  接合層
４  情報コード
５  ケース
６  裏蓋
６ａ  凹部
７  バンド
８  ムーブメント
９  時刻表示部
１０  風防
１１  剥離シート
１２  シール部品
１３  情報コード
１４  駒
１４ａ  凹部
１５  バンド
１６  表カバー
１７  中板
１８  外板
１９  一方のバンド
２０  他方のバンド
２１  プッシュボタン装置
２２  ロックピン
２３  三つ折れ中留
２４  一方のバンド
２５  本体部
２５ａ  凹部
２６  蓋
２７  ロックピン
２８  プッシュボタン装置
２９  他方のバンド
３０  駒
３１  架橋ピン
３２  挿通部
３３  ケース
３４  一方のバンド
３５  他方のバンド
３６  風防
３７  シール部品
３８  基材
３９  透明熱可塑性樹脂層
４０  ホログラム
４１  アルミニウム
４２  接合層
４３  情報コード
４４  保護部
４５  シール部品
４６  基材
４７  情報コード
４８  接合層
４９  情報コード
５０  シール部品
１００  シール原板
１０１  シール部品シール
【図１】
2005274248.tif 000003
【図２】
2005274248.tif 000004
【図３】
2005274248.tif 000005
【図４】
2005274248.tif 000006
【図５】
2005274248.tif 000007
【図６】
2005274248.tif 000008
【図７】
2005274248.tif 000009
【図８】
2005274248.tif 000010
【図９】
2005274248.tif 000011
【図１０】
2005274248.tif 000012
【図１１】
2005274248.tif 000013
【図１２】
2005274248.tif 000014
【図１３】
2005274248.tif 000015
【図１４】
2005274248.tif 000016
【図１５】
2005274248.tif 000017
【図１６】
2005274248.tif 000018
【図１７】
2005274248.tif 000019
【図１８】
2005274248.tif 000020
【図１９】
2005274248.tif 000021
【図２０】
2005274248.tif 000022
【図２１】
2005274248.tif 000023
【図２２】
2005274248.tif 000024
【図２３】
2005274248.tif 000025